(57)【特許請求の範囲】
【請求項１】
画像データが保持されるメモリを有する表示部と、
前記表示部とはシリアルデータ転送路を介して接続される表示制御部と、
前記表示制御部が前記シリアルデータ転送路を介して前記メモリに１画面分の更新画像データの転送を完了したことを契機に計時を開始し、前記表示部の画像データ更新の必要により生じる画面更新処理要求が所定時間発生しない場合に前記表示制御部の動作を停止させる制御部と、
を備えたことを特徴とする携帯電子機器。
【請求項２】
前記制御部は、
前記表示制御部の動作停止中に新たに画面更新処理要求があった場合、前記表示制御部の動作停止を解除して要求のあった画面更新処理に基づく更新画像データの転送処理を行う
ことを特徴とする請求項１に記載の携帯電子機器。
【請求項３】
前記制御部は、
前記表示制御部にて画面更新処理中に新たなイベントが発生した場合、更新処理中の更新画像データの転送の完了を待って前記表示制御部の動作を停止させることなく、前記表示制御部に前記イベントに対応する画面更新処理を実行させる
ことを特徴とする請求項１または２に記載の携帯電子機器。
【請求項４】
前記表示部は、省電力表示を行う省電力表示モードを有しており、
前記制御部は、
前記表示部が省電力表示モードで動作している場合、所定の更新画像データの転送要求を行うイベントに対応する画面更新処理を停止する
ことを特徴とする請求項１から３のいずれか１項に記載の携帯電子機器。
【発明の詳細な説明】
【技術分野】
【０００１】
本発明は、画像メモリ（例えばＲＡＭ）を内蔵する、例えば、ＬＣＤ（Liquid Crystal Display Device）モジュールを表示部として有する携帯電子機器に関するものである。
【背景技術】
【０００２】
携帯電話端末では、プロセッサユニット（ＣＰＵ）からＬＣＤモジュール等の表示モニタに対するデータ転送に、高速シリアルデータ転送が用いられる。また、表示インタフェースとして、市販の表示制御用ＬＳＩが搭載される場合がほとんどである。
【０００３】
上記したＬＣＤモジュールの中には、画像データを保持するＲＡＭ（画像メモリ）が内蔵されるタイプと、外付けされるタイプがあり、前者の場合は、表示内容を更新する場合にのみ画像データが転送される仕組みになっている。
このため、ＬＣＤモジュールの表示制御を行う表示制御用ＬＳＩは、前者のＬＣＤモジュールが接続された場合の方が消費電力の面で有利である。
【０００４】
ところで、昨今の携帯電話はその機動性のために省電力化が最重要設計事項となっており、そのために従来から省電力化のための技術が多数提案されてきた。
【０００５】
例えば、ユーザが携帯電話の操作を中止している期間に限り休止画像データを表示バネルに表示してＣＰＵの更新画像の転送動作を停止して消費電力の低減化をはかる技術が提案されている（例えば、特許文献１参照）。
【０００６】
また、パターン表示を継続しながら減少した電力消費で動作するようにピクセルセットを制御する電力節約モード（ビクセルの輝度を低くする）で動作させる技術が提案されている（例えば、特許文献２参照）。
【特許文献１】特開２００５−２０８４５５号公報
【特許文献２】特表２００２−５１１６０８号公報
【発明の開示】
【発明が解決しようとする課題】
【０００７】
しかしながら、上記した特許文献１、２に開示された技術は、いずれもキー入力の監視によるＣＰＵの省電力制御に係るものであって、大まかな省電力制御しか実行できず、木目細かな省電力制御は行うことができない。
【０００８】
本発明は、廉価な表示制御用ＬＳＩを用いながら木目細かな省電力制御が可能な携帯電子機器を提供することを目的とする。
【課題を解決するための手段】
【０００９】
上記した課題を解決するために本発明の携帯電子機器は、画像データが保持されるメモリを有する表示部と、前記表示部とはシリアルデータ転送路を介して接続される表示制御部と、前記表示制御部が前記シリアルデータ転送路を介して前記メモリに１画面分の更新画像データの転送を完了したことを契機に計時を開始し、前記表示部の画像データ更新の必要により生じる画面更新処理要求が所定時間発生しない場合に前記表示制御部の動作を停止させる制御部と、を備えたものである。
【００１０】
また、本発明の携帯電子機器において、前記制御部は、前記表示制御部の動作停止中に新たに画面更新処理要求があった場合、前記表示制御部の動作停止を解除して要求のあった画面更新処理に基づく更新画像データの転送処理を行ってもよい。
【００１１】
また、本発明の携帯電子機器において、前記制御部は、前記表示制御部にて画面更新処理中に新たなイベントが発生した場合、更新処理中の更新画像データの転送の完了を待って前記表示制御部の動作を停止させることなく、前記表示制御部に前記イベントに対応する画面更新処理を実行してもよい。
【００１２】
また、本発明の携帯電子機器において、前記表示部は、省電力表示を行う省電力表示モードを有しており、前記制御部は、前記表示部が省電力表示モードで動作している場合、所定の更新画像データの転送要求を行うイベントに対応する画面更新処理を停止してもよい。
【発明の効果】
【００１３】
本発明によれば、廉価な表示制御用ＬＳＩを用いながら木目細かな省電力制御が可能な携帯電子機器を提供することができる。
【発明を実施するための最良の形態】
【００１４】
［第１の実施形態］
図１は、本発明の第１の実施形態に係る携帯電子機器の内部構成を示すブロック図である。ここでは、携帯電子機器として携帯電話１が例示されている。
【００１５】
図１に示されるように、携帯電話１は、通信部１１と、操作部１２と、音声処理部１３と、スピーカ１４と、マイクロフォン１５と、表示部１６と、記憶部１７と、制御部１８と、により構成される。
【００１６】
通信部１１は、複数の通信システムを捕捉し、例えば、ＣＤＭＡ２０００ １ｘ（以下、単に１ｘという）やＥＶＤＯの通信プロトコルに従い、不図示の移動通信網に接続される基地局を含む網側装置との間で無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００１７】
操作部１２は、例えば、電源キー、通話キー、数字キー、文字キー、方向キー、決定キー、発信キーなど、各種の機能が割り当てられたキーを有している。
操作部１２は、これらのキーがユーザによって操作された場合に、その操作内容に対応する信号を発生し、これをユーザの指示として制御部１８に入力する。
【００１８】
音声処理部１３は、スピーカ１４から出力される音声信号やマイクロフォン１５において入力される音声信号の処理を行う。
すなわち、音声処理部１３は、マイクロフォン１５から入力される音声を増幅し、アナログ／デジタル変換を行い、更に符号化等の信号処理を施し、デジタルの音声データに変換して制御部１８に出力する。
また、音声処理部１３は、制御部１８から供給される音声データに復号化、デジタル／アナログ変換、増幅等の信号処理を施し、アナログの音声信号に変換してスピーカ１４に出力する。
【００１９】
表示部１６は、例えば、ＬＣＤパネルや有機ＥＬ（Electro-Luminescence）パネルなどの表示デバイスを用いて構成されており、ここでは、画像データが保持されるＲＡＭ１６０を内蔵したＬＣＤモジュールを用いることとする。
表示部１６は、制御部１８から供給される映像信号に応じた画像を表示する。具体的には、発信時における発信先の電話番号、着信時における着信相手の電話番号、受信メールや送信メールの他に、日付、時刻、電池残量といったピクト画像、更には待受け画像の表示も含まれる。また、表示部１６は、ＬＣＤの場合には、表示を行いつつもバックライトをオフ、有機ＥＬの場合には最も輝度の低い表示とする、などの省電力表示を行う省電力表示モード（微灯モード）を有している。
【００２０】
記憶部１７は、制御部１８において処理に利用される各種のデータを記憶する。
記憶部１７は、例えば、制御部１８が実行するアプリケーションプログラム、通信相手の電話番号や電子メールアドレス等の個人情報を管理するアドレス帳、着信音やアラーム音を再生するための音声ファイル、各種の設定データ、プログラムの処理過程で利用される一時的なデータなどを保持する。
なお、上記した記憶部１７は、例えば、不揮発性の記憶デバイス（フラッシュメモリ）やランダムアクセス可能な記憶デバイス（ＳＲＡＭ、ＤＲＡＭ）等によって構成される。
【００２１】
制御部１８は、携帯電話の全体的な動作を統括的に制御する。
すなわち、制御部１８は、携帯電話の各種の処理（回線交換網を介して行われる音声通話、電子メールの作成と送受信、インターネットのＷｅｂ（World Wide Web）サイトの閲覧などの制御）が操作部１２の操作に応じて適切な手順で実行されるように、上述した各ブロックの動作（通信部１１における信号の送受信、音声処理部１３における音声の入出力）を制御する。
制御部１８は、記憶部１７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、制御部１８は、記憶部１７に格納されるオペレーティングシステムやアプリケーションプログラム等のプログラムから命令コードを順次読み込んで処理を実行する。
【００２２】
制御部１８は、表示制御部（ディスプレイコントローラ１８０）を含み、このディスプレイコントローラ１８０が表示部１６（のＲＡＭ１６０）に１画面分の更新画像データの転送を完了したことを契機に計時を開始し、所定時間、画面更新処理要求が発生しない場合にディスプレイコントローラ１８０の動作を停止（スリープ制御）させる機能を有する。詳細は後述する。
【００２３】
図２は、図１に示す制御部１８と、制御部１８とはシリアルデータ転送路１０を介して接続される表示部１６周辺の詳細な接続構成を示すブロック図である。
【００２４】
図２に示されるように、制御部１８は、上記したディスプレイコントローラ１８０の他に、主制御部（ＣＰＵ１８１）と、送信側高速シリアルデバイス１８２（以下、Ｔｘ高速シリアルデバイス１８２という）と、電力制御部１８３とにより構成される。
【００２５】
また、表示部１６は、画像メモリとしてのＲＡＭ１６０を内蔵する他、前述した省電力表示モードを有するＬＣＤパネル１６１と、受信側高速シリアルデバイス１６２（以下、Ｒｘ高速シリアルデバイス１６２という）と、により構成される。
【００２６】
上記構成において、ＣＰＵ１８１により生成される画像データは、Ｔｘ高速シリアルデバイス１８２によりシリアルデータに変換され、シリアルデータ転送路１０を介して伝播されるシリアルデータは、Ｒｘ高速シリアルデバイス１６２によりパラレルデータに変換され、表示部１６に内蔵されるＲＡＭ１６０に描画される。
ここで描画された画像データは、ＬＣＤパネル１６１の表示タイミングに同期して読み出され、所望の表示を得る構成になっている。
【００２７】
なお、電力制御部１８３は、ディスプレイコントローラ１８０がスリープ状態に遷移する場合に、Ｔｘ高速シリアルデバイス１８２、Ｒｘ高速シリアルデバイス１６２に対する給電も停止するように動作するものである。
【００２８】
図３は、本発明の実施の形態１に係る携帯電子機器の動作を示すフローチャートである。以下、図３に示すフローチャートを参照しながら図１、図２に示す本発明の実施の形態１に係る携帯電子機器の動作について詳細に説明する。
【００２９】
携帯電話１の、筐体開、キー操作、着信、メール受信、アラーム発生、あるいはアプリケーションプログラムの起動に伴うイベント発生を検知した制御部１８（ＣＰＵ１８１）は、まず、表示部１６に、発生したイベントに伴う画面表示を行うために、画像データの更新処理を行う（ステップＳ３１）。
例えば、ユーザが筐体を開いた場合、ＣＰＵ１８１は、生成した時計やスクリーンセーバを表示するためにディスプレイコントローラ１８０を起動し（ステップＳ３２）、その画像データを、Ｔｘ高速シリアルデバイス１８２、シリアルデータ転送路１０、表示部１６のＲｘ高速シリアルデバイス１６２を介して画像メモリとしてのＲＡＭ１６０に転送する（ステップＳ３３）。
【００３０】
ＣＰＵ１８１は、画像データの転送終了を監視しており（ステップＳ３４）、転送終了を検知すると（ステップＳ３４“Ｙｅｓ”）、不図示のタイマを起動する（ステップＳ３５）。
なお、画像データ転送中（ステップＳ３４“Ｎｏ”）、ＣＰＵ１８１は、他のイベント発生を監視しており（ステップＳ３６）、例えば、キー押下等があった場合（ステップＳ３６“Ｙｅｓ”）、そのイベントに伴う画像データの転送を開始し、他のイベント発生がなかった場合は（ステップＳ３６“Ｎｏ”）、タイマ起動処理を実行する（ステップＳ３５）。ここで、タイマはＡ秒カウントすることとする。
【００３１】
ＣＰＵ１８１は、タイマによる時間監視期間中（Ａ秒タイムアウト前）、他のイベント発生に伴う画像データ更新要求が発生した場合（ステップＳ３７“Ｙｅｓ”）、そのイベントに伴う画像データの転送を行う（ステップＳ３３）。
他のイベント発生に伴う画像データ更新要求が発生しなかった場合（ステップＳ３７“Ｎｏ”）、ＣＰＵ１８１は、更にタイムアウトを検知（ステップＳ３８“Ｙｅｓ”）してディスプレイコントローラ１８０の動作を停止させるスリープ制御を実行する（ステップＳ３９）。このことにより省電力化が可能である。
【００３２】
なお、ここでいう「スリープ制御」とは、ＣＰＵ１８１による制御の下で処理中データ（設定値等）を退避し、電力制御部１８３が、ディスプレイコントローラ１８０に再起動用の電力しか供給しない状態に遷移させることをいう。
スリープが解除された場合、通常の給電状態に復帰し、ＣＰＵ１８１はセーブしてあるデータをリストア後、動作を再開させることができる。
【００３３】
図４は、本発明の実施の形態１に係る携帯電子機器の動作を示すタイミング図であり、図４（ａ）に、タイマ監視期間中にイベント発生による画像データ更新要求の発生がなかった場合、図４（ｂ）に、タイマ監視期間中に他のイベント発生による画像データ更新要求の発生があった場合の、それぞれにおける、画像データと、ディスプレイコントローラ１８０の動作状態が示されている。
なお、図４（ｂ）には、他のイベント入力（キー入力）のタイミングも示されている。
【００３４】
図４（ａ）のタイミング図において、ＣＰＵ１８１は、ディスプレイコントローラ１８０がシリアルデータ転送路１０を介して表示部１６（ＲＡＭ１６０）に、例えば、１画面分の静止画像データの転送を行う。続いて、ＣＰＵ１８１は、データ転送が完了したタイミングで不図示のタイマによりＡ秒の計時を開始し、このＡ秒の間に次の画面更新処理要求（更新画像データの転送）が発生しない場合にディスプレイコントローラ１８０の動作を停止させるスリープ制御を実行する。
そして、タイムアウト後に次の画面更新処理要求が発生した場合、ＣＰＵ１８１は、ディスプレイコントローラ１８０の動作を再開させ（スリープ解除）して更新画像データの転送処理を行う。
【００３５】
一方、図４（ｂ）のタイミング図において、yのキー打下に基づく画面更新処理中（画像データ更新）にzのキー入力等の新たなイベントが発生した場合（図中、矢印表記）、ＣＰＵ１８１は、その更新画像データy´の転送の完了を待ってディスプレイコントローラ１８０の動作を停止させることなく動作状態を継続し、発生したzキー入力に対応する更新画像データｚ´の画面更新処理を実行する。
上記した画面更新処理（画像データ更新）実行後、更なる他のイベントが発生していなければ、ＣＰＵ１８１は、図４（ａ）に示したタイミング図同様、ディスプレイコントローラ１８０がその画像データの転送を完了したタイミングでＡ秒の計時を開始する。
【００３６】
以上説明のように本発明の第１の実施形態に係る携帯電子機器によれば、表示部１６として、画像データが保持されるＲＡＭ１６０を内蔵する、例えば、ＬＣＤモジュールを用いた場合、ディスプレイコントローラ１８０がＲＡＭ１６０に１画面分の更新画像データの転送を完了したタイミングでタイマ監視を行い、タイマで計時される所定時間、画面更新処理要求が発生しない場合にディスプレイコントローラ１８０をスリープ制御することで省電力化をはかることができる。
なお、本発明は、廉価であるが消費電力が大きな表示制御用ＬＳＩ（ディスプレイコントローラ１８０）に用いた場合に顕著な効果が得られる。
【００３７】
なお、上記の制御により表示に関してユーザに与える悪影響はなく、通常の制御と比較しても違和感のない表示が可能である。また、省電力化により携帯電話１の電池の延命化がはかれ、長時間充電無しで利用が可能になる。更に、ディスプレイコントローラ１８０のような定期的な周期のクロックが発生するＬＳＩの動作を一時停止させるため、ノイズによる無線部分への影響を軽減させるといった派生的効果も得られる。
【００３８】
［第２の実施形態］
図５は、微灯モード（省電力表示モード）を有する表示部１６を使用して更なる省電力を狙った場合の本発明の第２の実施形態に係る携帯電子機器の動作をフローチャートで示した図である。
以下に説明する第２の実施形態では、携帯電話１に搭載される表示部１６が、例えば、バックライトを点灯させることなく画面表示を行う微灯モードでの表示が可能である他は、図１、図２に示す実施の形態１と同様の構成を有するものとする。
【００３９】
以下、図５のフローチャートに関連付けて、図１、図２に示す本発明の第２の実施形態に係る携帯電子機器の動作について詳細に説明する。
【００４０】
ＣＰＵ１８１は、常時、操作部１２のキー操作等による画面更新要求イベントの発生を監視している（ステップＳ５１）。ここで、キー操作がないことが検出された場合は（ステップＳ５１“Ｎｏ”）、Ｂ秒のタイマ監視を行い、Ｂ秒の計時を待って（ステップＳ５２“Ｙｅｓ”）、表示部１６（ＬＣＤパネル１６１）の微灯制御を行う（ステップＳ５３）。
更に、ＣＰＵ１８１は、スクリーンセーバが動作中であればこれを停止する処理（画面更新処理の停止）を行い、かつ、時計表示のＯＦＦ設定を行う（ステップＳ５４）。
一方、キー操作が検出された場合（ステップＳ５１“Ｙｅｓ”）、ＣＰＵ１８１は、スクリーンセーバが動作していれば、これを停止する処理を行い、かつ、時計表示ＯＦＦの設定を解除して（ステップＳ５５）、設定輝度に基づく点灯制御を行う（ステップＳ５６）。
【００４１】
以上説明のように、本第２の実施形態に係る携帯電子機器によれば、表示部１６（ＬＣＤパネル）が微灯表示モードで動作している場合、所定の更新画像データの転送要求を行うイベントに対応する画面更新処理を停止することにより、ディスプレイコントローラ１８０のスリープ時間を長く設定でき、一層の省電力化を実現できるとともに、木目細かな省電力制御が可能になる。
なお、ここで、イベントに対応する画面更新データの中には、時計表示、スクリーンセーバの他に、フラッシュ（登録商標）待受け画面等も含まれる。
【００４２】
なお、本発明の実施形態に係る携帯電子機器として携帯電話１のみ例示したが、同様の構成を有する、例えば、ＰＤＡ（Personal Digital Assistants）、や電子手帳、ゲーム機、あるいはノートＰＣ等に搭載される場合も同様に適用が可能である。
また、表示部１６として、ＬＣＤモジュールのみ例示したが、有機ＥＬやＬＥＤモジュール等、画像メモリとしてのＲＡＭをパネルに内蔵するタイプの表示モニタであれば代替が可能である。
【図面の簡単な説明】
【００４３】
【図１】本発明の実施の形態１に係る携帯電子機器の内部構成を示すブロック図である。
【図２】図１に示す制御部と表示部周辺の詳細な接続構成を示すブロック図である。
【図３】本発明の実施の形態１に係る携帯電子機器の動作を示すフローチャートである。
【図４】本発明の実施の形態１に係る携帯電子機器の動作を示すタイミングチャートである。
【図５】本発明の実施の形態２に係る携帯電子機器の動作を示すフローチャートである。
【符号の説明】
【００４４】
１…携帯電話、１０…シリアルデータ転送路、１１…通信部、１２…操作部、１３…音声処理部、１４…スピーカ、１５…マイクロフォン、１６…表示部（ＬＣＤモジュール）、１７…記憶部、１８…制御部、１６０…ＲＡＭ、１６１…ＬＣＤパネル、１６２…受信側高速シリアルデバイス（Ｒｘ高速シリアルデバイス）、１８０…ディスプレイコントローラ、１８１…主制御部（ＣＰＵ）、１８２…送信側高速シリアルデバイス（Ｔｘ高速シリアルデバイス）、１８３…電力制御部。
【図１】
0005611506.tif 000002
【図２】
0005611506.tif 000003
【図３】
0005611506.tif 000004
【図４】
0005611506.tif 000005
【図５】
0005611506.tif 000006